(57)【要約】【課題】簡単な構成で虫の侵入を防止できる検出装置及び給水装置を提供すること。【解決手段】給水装置１に用いられる検出装置１４は、基板２４と、基板２４と接続するセンサ２３と、基板２４に接続され、外部機器１５に基板２４を接続するケーブル２２と、基板２４を収納するとともに、その外周壁にケーブル２２を挿通可能、且つ、ケーブル２２に密着することでケーブル２２を支持するケーブル支持部３３が形成された外郭部材２１と、を備える構成とする。【選択図】      図１
2016020843.tif 000002
【特許請求の範囲】
【請求項１】
基板と、
前記基板に接続されたセンサと、
前記基板に接続され、外部機器に前記基板を接続するケーブルと、
前記基板を収納するとともに、その外周壁に前記ケーブルを挿通可能、且つ、前記ケーブルに密着することで前記ケーブルを支持するケーブル支持部が形成された外郭部材と、
を備えることを特徴とする検出装置。
【請求項２】
前記外郭部材は、ベースと、前記ベースに固定されるカバーと、を備え、
前記ケーブル支持部は、前記ベース及び前記カバーの外周壁に設けられ、前記ケーブルを挿通可能な開口部と、前記開口部の内周面に形成された前記ケーブルの外周面に密着する環状の支持部と、を備えることを特徴とする請求項１に記載の検出装置。
【請求項３】
前記外郭部材は、ベースと、前記ベースに固定されるカバーと、を備え、
前記ケーブル支持部は、前記ベース及び前記カバーの少なくとも一方に設けられ、前記ケーブルの断面形状と同一形状で前記ベース及び前記カバーの前記外周壁に開口するとともに、前記ケーブルと密着可能に形成された支持部を備えることを特徴とする請求項１に記載の検出装置。
【請求項４】
前記ベース及び前記カバーは、互いに当接す外周壁の端面がインロー構造に形成されていることを特徴とする請求項２又は請求項３に記載の検出装置。
【請求項５】
ポンプと、
基板、前記基板と接続され、前記ポンプから吐出された流体の情報を検出するセンサ、前記基板に接続され、外部機器に前記基板を接続するケーブル、及び、前記基板を収納するとともに、その外周壁に前記ケーブルを挿通可能、且つ、前記ケーブルに密着することで前記ケーブルを支持するケーブル支持部が形成された外郭部材を備える検出装置と、
前記ケーブルが接続され、前記ポンプを制御する制御盤と、
を備えることを特徴とする給水装置。
【請求項６】
前記外郭部材は、ベースと、前記ベースに固定されるカバーと、を備え、
前記ケーブル支持部は、前記ベース及び前記カバーの外周壁に設けられ、前記ケーブルを挿通可能な開口部と、前記開口部の内周面に形成された前記ケーブルの外周面に密着する環状の支持部と、を備えることを特徴とする請求項５に記載の給水装置。
【請求項７】
前記外郭部材は、ベースと、前記ベースに固定されるカバーと、を備え、
前記ケーブル支持部は、前記ベース及び前記カバーの少なくとも一方に設けられ、前記ケーブルの断面形状と同一形状で前記ベース及び前記カバーの前記外周壁に開口するとともに、前記ケーブルと密着可能に形成された支持部を備えることを特徴とする請求項５に記載の給水装置。
【請求項８】
前記ベース及び前記カバーは、互いに当接す外周壁の端面がインロー構造に形成されていることを特徴とする請求項６又は請求項７に記載の給水装置。
【発明の詳細な説明】
【技術分野】
【０００１】
本発明は、自動給水において、流量や圧力等を検出する検出装置及び当該検出装置を用いた給水装置に関する。
【背景技術】
【０００２】
水を供給する給水装置として、例えば、ポンプ、モータ、検出装置及び制御盤等がベース上に一体に設けられた給水装置が知られている（例えば、特許文献１参照）。この給水装置に用いられる検出装置は、外郭部材内にセンサや基板等が設けられ、ポンプの二次側の流路に配置されるとともに、ケーブルを介して制御盤に接続されることで、流量、圧力及び温度等を検出し、制御盤に検出した情報を送信する。
【０００３】
このような給水装置は、屋外に設置されることから、外郭部材とケーブルとの隙間から検出装置の内部に虫が侵入する虞があった。検出装置の内部に虫が侵入すると、基板をショートさせる等、基板が損傷する虞があり、検出装置の故障の要因となる。そこで、基板に樹脂材料を充填（ポッティング）することで、虫の侵入による基板の損傷を防止する技術が知られている。
【先行技術文献】
【特許文献】
【０００４】
【特許文献１】特願２００９-２７０４６２号公報
【発明の概要】
【発明が解決しようとする課題】
【０００５】
上述した検出装置では、基板の損傷を防止するために、基板に樹脂を充填する構成であることから、基板に設けられる電子部品の高さによっては、充填することができない等の制限がある。また、樹脂を充填するため、製造コストが増加する問題や生産性が悪い、という問題もある。
【０００６】
また、検出装置の外郭部材及びケーブルの間の隙間を減少させるために、ケーブルの周囲にゴム等の樹脂材料で形成された隙間を埋める円筒状の被覆部材を設ける技術も知られているが、組み立て工程や製造コストが増加する問題もある。
【０００７】
そこで本発明は、簡単な構成で虫の侵入を防止できる検出装置及び給水装置を提供することを目的としている。
【課題を解決するための手段】
【０００８】
前記課題を解決し目的を達成するために、本発明の検出装置及び給水装置は次のように構成されている。
【０００９】
本発明の一態様として、検出装置は、基板と、前記基板と接続するセンサと、前記基板に接続され、外部機器に前記基板を接続するケーブルと、前記基板を収納するとともに、その外周壁に前記ケーブルを挿通可能、且つ、前記ケーブルに密着することで前記ケーブルを支持するケーブル支持部が形成された外郭部材と、を備える。
【００１０】
本発明の一態様として、給水装置は、ポンプと、基板、前記基板と接続され、前記ポンプから吐出された流体の情報を検出するセンサ、前記基板に接続され、外部機器に前記基板を接続するケーブル、及び、前記基板を収納するとともに、その外周壁に前記ケーブルを挿通可能、且つ、前記ケーブルに密着することで前記ケーブルを支持するケーブル支持部が形成された外郭部材を備える検出装置と、前記ケーブルが接続され、前記ポンプを制御する制御盤と、を備える。
【発明の効果】
【００１１】
本発明によれば、簡単な構成で虫の侵入を防止できる検出装置及び給水装置を提供することが可能となる。
【図面の簡単な説明】
【００１２】
【図１】本発明の第１の実施形態に係る給水装置の構成を示す斜視図。
【図２】同給水装置に用いられる検出装置の構成を示す上面図。
【図３】同検出装置の構成を示す側面図。
【図４】同検出装置の構成を示す断面図。
【図５】同検出装置の構成を示す断面図。
【図６】本発明の第２の実施形態に係る検出装置の構成を示す断面図。
【図７】同検出装置の構成を示す断面図。
【図８】本発明の変形例に係る検出装置の構成を示す断面図。
【発明を実施するための形態】
【００１３】
（第１の実施形態）
以下、本発明の第１の実施形態に係る検出装置１４を用いた給水装置１を、図１乃至図５を用いて説明する。  
図１は本発明の第１の実施形態に係る給水装置１の構成を示す斜視図、図２は給水装置１に用いられる検出装置１４の構成を示す上面図、図３は検出装置１４の構成を示す側面図、図４は検出装置１４の構成を、図２中ＩＶ−ＩＶ線断面で示す断面図、図５は検出装置１４の構成を、図２中Ｖ−Ｖ線断面で示す断面図である。
【００１４】
図１に示すように、給水装置１は、基部１０と、基部１０に設けられた流路部１１と、流路部１１の中途部に設けられたポンプ１２と、流路部１１の中途部に設けられたアキュムレータ１３と、流路部１１上に設けられ、ポンプ１２から吐出された水の圧力、流量又は温度等を検出する検出装置１４と、ポンプ１２の制御を行なう制御盤１５と、を備えている。また、給水装置１は、流路部１１、ポンプ１２、アキュムレータ１３、検出装置１４及び制御盤１５を覆うカバー部材１６が基部１０上に設けられる。
【００１５】
このような給水装置１は、基部１０上に流路部１１、ポンプ１２、アキュムレータ１３、検出装置１４及び制御盤１５が設けられ、カバー部材１６により基部１０上が覆われることで、各構成品が基部１０上に一体に設けられる。給水装置１は、ポンプ１２から吐出された水の圧力、流量又は温度等の情報を検出装置１４で検出し、当該検出した情報に基づいて、制御盤１５によりポンプ１２が制御されることで、供給対象の流体である水を二次側に供給（給水）可能に形成されている。
【００１６】
流路部１１は、基部１０上に設けられ、その一次側が給水源に接続されるとともに、その二次側が給水先に接続される、配管部である。流路部１１は、例えば、その中途部に、自給用の自吸室が形成される。
【００１７】
ポンプ１２は、制御盤１５に信号線を介して接続されたモータ１２ａを備えている。ポンプ１２は、モータ１２ａが駆動することで、流路部１１内の水を揚水可能に形成されている。アキュムレータ１３は、例えば、流路部１１であって、且つ、ポンプ１２の二次側に設けられる。
【００１８】
検出装置１４は、流路部１１であって、且つ、ポンプ１２の二次側に設けられる。図２に示すように、検出装置１４は、外郭部材２１と、ケーブル２２と、センサ２３と、基板２４と、を備えている。検出装置１４は、センサ２３により検出された情報を基板２４からケーブル２２を介して制御盤１５に送信可能に形成されている。
【００１９】
外郭部材２１は、基板２４を収納する第１外郭部材２５と、センサ２３を収納する第２外郭部材２６と、を備えている。外郭部材２１は、第１外郭部材２５及び第２外郭部材２６が、ボルトや螺子等の締結部材２７によって一体に組み立てられるとともに、基部１０又は流路部１１に締結部材２７によって固定される。
【００２０】
図３乃至図５に示すように、第１外郭部材２５は、ベース３１と、ベース３１を覆うカバー３２と、ベース３１及びカバー３２の外周面の一部に設けられたケーブル支持部３３と、ベース３１及びカバー３２の外周縁に沿って形成された係合部３４と、を備えている。第１外郭部材２５は、ベース３１及びカバー３２により形成される内部空間に基板２４を収納する。
【００２１】
ベース３１は、その外周に沿って外周壁３１ａが形成されている。ベース３１は、締結部材２７を介して、その上面にカバー３２が取り付けられるとともに、その下面に第２外郭部材２６が取り付けられる。ベース３１は、その外周面の一部に形成された半円状の第１切欠部３５と、その外周縁、より具体的には、外周壁３１ａの上端面に、その外周縁に沿って延設された凹部３６と、を備えている。
【００２２】
第１切欠部３５は、ケーブル２２を支持可能に、所定の厚みを有するベース３１の外周壁３１ａに設けられる。第１切欠部３５は、ベース３１に取り付けられるカバー３２と対向する面に、カバー３２と対向する面の面方向に沿って半円状に形成された単数又は複数の第１突起部３５ａが形成されている。即ち、第１切欠部３５のカバー３２と対向する面は、半円状に切欠することで形成された湾曲する面であり、その面の内周に沿って第１突起部３５ａが形成される。なお、本実施形態においては、単数の第１突起部３５ａを有する第１切欠部３５を用いて説明する。
【００２３】
凹部３６は、第１切欠部３５を除くベース３１の外周壁３１ａの上端面に形成された溝部である。
【００２４】
カバー３２は、その外周面に沿って外周壁３２ａが形成されている。カバー３２は、ベース３１の第１切欠部３５と対向するその外周面の一部に形成された半円状の第２切欠部３７と、その外周縁、より具体的には外周壁３２ａの下端面に、その縁部に沿って延設され、ベース３１の凹部３６に挿入される凸部３８と、を備えている。
【００２５】
第２切欠部３７は、ケーブル２２を支持可能に、所定の厚みを有するカバー３２の外周壁３２ａに設けられる。第２切欠部３７は、ベース３１と対向する面であって、且つ、第１突起部３５ａと対向する位置に、ベース３１と対向する面の面方向に沿って半円状に形成された単数又は複数の第２突起部３７ａが形成されている。即ち、第２切欠部３７のベース３１と対向する面は、半円状に切欠することで形成された湾曲する面であり、その面の内周に沿って第２突起部３７ａが形成される。なお、第２突起部３７ａは、第１突起部３５ａと同数設けられており、本実施形態においては、単数の第２突起部３７ａを有する第２切欠部３７を用いて説明する。
【００２６】
ケーブル支持部３３は、ベース３１及びカバー３２に設けられる第１切欠部３５及び第２切欠部３７により形成されたる円状の開口部４１、並びに、第１突起部３５ａ及び第２突起部３７ａにより形成される円環状の突起部４２により構成される。ケーブル支持部３３は、第１突起部３５ａ及び第２突起部３７ａにより形成される突起部（支持部）４２がケーブル２２と密着することで、ケーブル２２を支持するとともに、ケーブル２２及び開口部４１の間の隙間を遮断可能に形成されている。
【００２７】
係合部３４は、ベース３１及びカバー３２に設けられる凹部３６及び凸部３８により形成されている。係合部３４は、ベース３１及びカバー３２を一体に組み立てたときに、凹部３６に凸部３８が挿入されることで、ベース３１及びカバー３２の間に隙間が発生しても、当該隙間を凸部３８により遮断可能に形成されている。このような係合部３４は、ベース３１及びカバー３２の係合において、凹部３６及び凸部３８が所謂インロー（印籠）構造を構成する。
【００２８】
第２外郭部材２６は、ベース３１に固定されるとともに、基部１０又は流路部１１に固定される。第２外郭部材２６は、その内部にセンサ２３を収納可能に形成されている。
【００２９】
ケーブル２２は、樹脂材料で形成されたチューブ等により信号線の周囲が被覆された被覆ケーブルである。ケーブル２２は、その一方が基板２４に接続されるとともに、その他方に外部機器である制御盤１５に接続され、基板２４及び制御盤１５を電気的に接続する。
【００３０】
ケーブル２２は、突起部４２がその外周面に密着して開口部４１に挿入されることで、ケーブル支持部３３に支持される。
【００３１】
センサ２３は、流路部１１内を流れる水の流量、圧力及び温度を検出可能に形成されている。センサ２３は、信号線を介して基板２４に接続される。基板２４は、センサ２３で検出した情報を制御盤１５に送信可能に形成されている。
【００３２】
このように構成された給水装置１の検出装置１４は、その内部から外部に延設されるケーブル２２を、外郭部材２１に形成されたケーブル支持部３３の開口部４１に配置し、開口部４１内に設けられた円環状の突起部４２をケーブル２２の外周面に密着させることで、ケーブル２２を支持する。このようにケーブル支持部３３にケーブル２２を配置することで、ケーブル２２及び外郭部材２１の開口部４１の間の隙間が突起部４２により閉塞される。これにより、給水装置１が屋外に設置される場合であっても、虫等が外郭部材２１及びケーブル２２の間から検出装置１４の内部に侵入することを防止可能となる。
【００３３】
これにより、検出装置１４内に侵入した虫による基板２４の破損を防止するために、基板２４の樹脂材料のポッティングを行うことを必要とせず、また、同様に、ケーブル２２に別途開口部４１との隙間を埋める被覆部材を設けることを必要としない。このため、製造コストを低減することが可能となる。
【００３４】
また、ケーブル支持部３３は、第１外郭部材２５のベース３１及びカバー３２を樹脂材料や金属材料等で成形するときに、第１切欠部３５及び第２切欠部３７、並びに、第１突起部３５ａ及び第２突起部３７ａをベース３１及びカバー３２に成形すればよく、製造コストが増大することもない。即ち、ケーブル支持部３３を設けるために必要なコストは、ベース３１及びカバー３２を成形する金型を製造するときに、第１切欠部３５及び第２切欠部３７、並びに、第１突起部３５ａ及び第２突起部３７ａを成形する溝を金型に設けるためのコストのみでよい。即ち、金型作成時のイニシャルコストのみでよい。
【００３５】
また、検出装置１４は、第１外郭部材２５のベース３１及びカバー３２の当接面に、係合部３４として、凹部３６及び凸部３８が設けられることで、ベース３１及びカバー３２の間に隙間が発生することを防止可能となる。これにより、検出装置１４は、ベース３１及びカバー３２の当接面の間から虫が侵入することを防止可能となる。
【００３６】
また、係合部３４は、ベース３１及びカバー３２を成形するときに、ベース３１及びカバー３２の外周壁３１ａ、３２ａの端面に凹部３６及び凸部３８を成形すればよく、製造コストが増大することもない。即ち、係合部３４を設けるために必要なコストは、ベース３１及びカバー３２を成形する金型を製造するときに、凹部３６及び凸部３８を成形する溝及び突起を金型に設けるためのコストのみでよく、ケーブル支持部３３と同様に、イニシャルコストのみでよい。
【００３７】
上述したように第１の実施形態に係る給水装置１によれば、検出装置１４の製造コストを増加させることなく、簡単な構成で検出装置１４内に虫が侵入することを防止可能となる。
【００３８】
（第２の実施形態）
次に、本発明の第２の実施形態に係る検出装置１４Ａを用いた給水装置１について、図６及び図７を用いて説明する。  
図６は、本発明の第２の実施形態に係る検出装置１４Ａの構成を、図２中ＶＩ−ＶＩ線断面で示す断面図、図７は検出装置１４Ａの構成を、図２中ＶＩＩ−ＶＩＩ線断面で示す断面図である。なお、第２の実施形態に係る検出装置１４のうち、第１の実施形態に係る検出装置１４と同様の構成には同一符号を付し、その詳細な説明は省略する。
【００３９】
給水装置１は、基部１０と、流路部１１と、ポンプ１２と、アキュムレータ１３と、流路部１１上に設けられ、圧力、流量又は温度等を検出する検出装置１４Ａと、制御盤１５と、を備えている。また、給水装置１は、流路部１１、ポンプ１２、アキュムレータ１３、検出装置１４Ａ及び制御盤１５を覆うカバー部材１６が基部１０上に設けられる。
【００４０】
検出装置１４Ａは、流路部１１であって、且つ、ポンプ１２の二次側に設けられる。検出装置１４Ａは、外郭部材２１Ａと、外郭部材２１Ａ内に設けられたセンサ２３と、外郭部材２１Ａ内に設けられ、センサ２３に接続される基板２４と、基板２４及び制御盤１５に接続されるケーブル２２Ａと、を備えている。検出装置１４Ａは、センサ２３により検出された情報を基板２４からケーブル２２Ａを介して制御盤１５に送信可能に形成されている。
【００４１】
外郭部材２１Ａは、基板２４を収納する第１外郭部材２５Ａと、センサ２３を収納する第２外郭部材２６と、を備えている。外郭部材２１Ａは、第１外郭部材２５Ａ及び第２外郭部材２６が、ボルトや螺子等の締結部材２７によって一体に組み立てられるとともに、基部１０又は流路部１１に締結部材２７によって固定される。
【００４２】
図６及び図７に示すように、第１外郭部材２５Ａは、ベース３１Ａと、ベース３１Ａを覆うカバー３２Ａと、ベース３１Ａ及びカバー３２Ａの外周面の一部に設けられたケーブル支持部３３Ａと、ベース３１Ａ及びカバー３２Ａの外周縁に沿って形成された係合部３４と、を備えている。第１外郭部材２５Ａは、ベース３１Ａ及びカバー３２Ａにより形成される内部空間に基板２４を収納する。
【００４３】
ベース３１Ａは、その外周に沿って形成された外周壁３１ａと、外周壁３１ａの一部に対向する位置に単数又は複数設けられた第１支持部３９と、を備えている。ベース３１Ａは、締結部材２７を介して、その上面にカバー３２Ａが取り付けられるとともに、その下面に第２外郭部材２６が取り付けられる。
【００４４】
ベース３１Ａは、その外周壁３１ａの一部及び第１支持部３９に形成された第１切欠部３５Ａと、外周壁３１ａの上端面に、その縁部に沿って延設された凹部３６と、を備えている。第１支持部３９は、ケーブル２２Ａを支持可能に形成されている。第１支持部３９は、本実施形態においては、ベース３１Ａの内部に２つ設けられた板状の突起である。
【００４５】
第１切欠部３５Ａは、外周壁３１ａ及び第１支持部３９に設けられる。第１切欠部３５Ａは、外周壁３１ａ及び第１支持部３９の端面に、ケーブル２２Ａの断面形状の一部と同一形状又は当該断面形状の一部よりも若干小さい形状に形成された切欠である。
【００４６】
カバー３２Ａは、その外周面に沿って形成された外周壁３２ａと、外周壁３２ａの一部に対向する位置に単数又は複数設けられた第２支持部４０と、を備えている。カバー３２Ａは、ベース３１Ａの第１切欠部３５Ａと対向するその外周壁３２ａの一部及び第２支持部４０に形成された第２切欠部３７Ａと、外周壁３２ａの下端面に、その縁部に沿って延設され、ベース３１Ａの凹部３６に挿入される凸部３８と、を備えている。第２支持部４０は、ケーブル２２Ａを支持可能に形成され、本実施形態においては、カバー３２Ａの内部に２つ設けられた板状の突起である。
【００４７】
第２切欠部３７Ａは、外周壁３２ａ及び第２支持部４０に設けられ、第１切欠部３５Ａと対向することにより、ケーブル２２Ａを挿通可能に形成される。第２切欠部３７Ａは、第１支持部３９と対向する外周壁３２ａ及び第２支持部４０の端面に、ケーブル２２Ａの断面形状の他部と同一形状又は当該断面形状の一部よりも若干小さい形状に形成された切欠である。
【００４８】
ケーブル支持部３３Ａは、ベース３１Ａ及びカバー３２Ａに設けられる外周壁３１ａ、３２ａの間、並びに、第１支持部３９及び第２支持部４０の間に形成される開口部４１Ａにより構成される。開口部４１Ａは、外周壁３１ａ及び外周壁３２ａの対向する部位、並びに、第１支持部３９及び第２支持部４０の対向する部位に、ケーブル２２Ａの断面形状と略同一形状に、第１切欠部３５Ａ及び第２切欠部３７Ａにより形成される。ケーブル支持部３３Ａは、第１支持部３９及び第２支持部４０により形成される開口部４１Ａがケーブル２２Ａと密着することで、ケーブル２２Ａ及び開口部４１Ａの間に隙間が発生することを防止可能に形成されている。
【００４９】
なお、ケーブル支持部３３Ａは、第１支持部３９及び第２支持部４０が設けられず、第１切欠部３５Ａが形成された外周壁３１ａ及び第２切欠部３５Ｂが形成された外周壁３２ａのみを設け、これら外周壁３１ａ及び外周壁３２ａを支持部としてケーブル２２Ａを支持可能とする構成であってもよい。
【００５０】
ケーブル２２Ａは、樹脂材料で形成されたチューブ等により信号線の周囲が被覆された被覆ケーブル２２ａが複数設けられ、検出装置１４の外部で縒られた所謂縒り線である。ケーブル２２Ａは、その一方が基板２４に接続されるとともに、その他方が制御盤１５に接続され、基板２４及び制御盤１５を電気的に接続する。
【００５１】
ケーブル２２Ａは、ケーブル支持部３３Ａの開口部４１Ａにその外周面が挿入されるとともに、当該開口部４１Ａの内面に密着することで、ケーブル支持部３３Ａに支持される。
【００５２】
このように構成された給水装置１の検出装置１４Ａは、その内部から外部に延設されるケーブル２２Ａを、外郭部材２１Ａに形成されたケーブル支持部３３Ａの開口部４１Ａに配置し、開口部４１Ａの内面をケーブル２２Ａの外周面に密着させる。このような構成とすることで、検出装置１４Ａは、ケーブル支持部３３Ａにケーブル２２Ａを支持する。このようにケーブル支持部３３Ａにケーブル２２Ａを配置することで、外郭部材２１Ａの内部と外部に渡って設けられるケーブル２２Ａが外郭部材２１Ａに隙間なく配置される。これにより、給水装置１が屋外に設置される場合であっても、虫等が外郭部材２１Ａ及びケーブル２２Ａの間から検出装置１４Ａの内部に侵入することを防止可能となる。
【００５３】
このため、検出装置１４Ａ内に侵入した虫による基板２４の破損が防止できるため、基板２４の樹脂材料のポッティングをする工程や、ケーブル２２Ａに別途開口部４１Ａとの隙間を埋める被覆部材を設ける必要がなく、製造コストを低減することが可能となる。
【００５４】
また、ケーブル支持部３３Ａは、第１外郭部材２５Ａのベース３１Ａ及びカバー３２Ａを樹脂材料や金属材料等で成形するときに、第１支持部３９及び第２支持部４０をベース３１Ａ及びカバー３２Ａに成形し、外周壁３１ａ、３２ａ、第１支持部３９及び第２支持部４０に第１切欠部３５Ａ及び第２切欠部３７Ａを形成する構成であればよい。このためケーブル２２Ａを、外郭部材２１Ａとの間の隙間を低減するために、製造コストが増大することもない。即ち、ケーブル支持部３３Ａを設けるために必要なコストは、ベース３１Ａ及びカバー３２Ａを成形する金型を製造するときに、ケーブル支持部３３Ａを成形する部位を金型に設けるためのコストのみでよい。即ち、金型作成時のイニシャルコストのみでよい。
【００５５】
また、検出装置１４Ａは、第１外郭部材２５Ａのベース３１Ａ及びカバー３２Ａの当接面に、係合部３４として、凹部３６及び凸部３８が設けられることで、ベース３１Ａ及びカバー３２Ａの間に隙間が発生することを防止可能となる。これにより、検出装置１４Ａは、ベース３１Ａ及びカバー３２Ａの当接面の間に隙間が形成されたとしても、凸部３８が当該隙間を遮断することから、製造コストを増大させることなく、虫が侵入することを防止可能となる。
【００５６】
上述したように第２の実施形態に係る給水装置１によれば、検出装置１４Ａの製造コストを増加させることなく、簡単な構成で検出装置１４Ａ内に虫が侵入することを防止可能となる。
【００５７】
なお、本発明は前記実施の形態に限定されるものではない。例えば、上述した例では、ケーブル２２は、樹脂材料で形成されたチューブ等により信号線の周囲が被覆された被覆ケーブルである構成を説明したがこれに限定されない。例えば、ケーブル２２は、樹脂材料で形成されたチューブ等により信号線の周囲が被覆された被覆ケーブルが複数縒り合わせられて形成された所謂縒り線が被覆部材で覆われた構成であってもよい。このようなケーブルであっても、第１の実施形態と同様に、虫の侵入が防止可能な検出装置１４を構成することが可能となる。また、検出装置１４Ａで用いられるケーブル２２Ａは、ケーブル２２を用いる構成であってもよい。
【００５８】
また、上述した例では、外郭部材２１は、ベース３１及びカバー３２のそれぞれに同数の第１突起部３５ａ及び第２突起部３７ａを設ける構成を説明し、また、外郭部材２１Ａは、ベース３１Ａ及びカバー３２Ａのそれぞれに同数の第１支持部３９及び第２支持部４０を設ける構成を説明したがこれに限定されない。例えば、図８に示す本変形例に係る検出装置１４Ｂの外郭部材２１Ｂのように、第１外郭部材２５Ｂのカバー３２Ｂに複数の第２支持部４０を設け、ベース３１Ｂには第１切欠部３５のみを備える構成のケーブル支持部３３Ｂであってもよい。
【００５９】
また、当然、ベース３１Ｂに複数の第１支持部３９を設け、カバー３２Ｂにケーブル２２の外周面に密着する第２切欠部３７を設ける構成であってもよく、他の組み合わせであってもよい。また、上述したように、第１突起部３５ａ、第２突起部３７ａ、第１支持部３９及び第２支持部４０は、単数又は複数のいずれであってもよく、また、ケーブル２２，２２Ａの外周面に密着して支持する支持部材であれば、適宜設定可能である。
【００６０】
さらに、上述した例では、ケーブル２２Ａは、樹脂材料で形成されたチューブ等により信号線の周囲が被覆された被覆ケーブル２２ａが複数設けられ、検出装置１４の外部で縒られた所謂縒り線である構成を説明したが、縒り線を用いる構成は、この構成に限定されない。例えば、図８に示すケーブル２２Ｂのように、複数の被覆ケーブル２２ａをさらに樹脂材料で形成されたチューブ状の被覆部材２２ｂで覆う構成であってもよい。このようなケーブル２２Ｂを用いる場合には、被覆部材２２ｂをケーブル支持部３３、３３Ｂで支持することで、上述した検出装置１４，１４Ａと同様の効果を得ることが可能となる。この他、本発明の要旨を逸脱しない範囲で種々変形実施可能である。
【符号の説明】
【００６１】
１…給水装置、１０…基部、１１…流路部、１２…ポンプ、１２ａ…モータ、１３…アキュムレータ、１４、１４Ａ、１４Ｂ…検出装置、１５…制御盤（外部機器）、１６…カバー部材、２１、２１Ａ、２１Ｂ…外郭部材、２２、２２Ａ…ケーブル、２２ａ…被覆ケーブル、２２ｂ…被覆部材、２２Ｂ…ケーブル、２３…センサ、２４…基板、２５、２５Ａ、２５Ｂ…第１外郭部材、２６…第２外郭部材、２７…締結部材、３１、３１Ａ、３１Ｂ…ベース、３１ａ…外周壁（支持部）、３２、３２Ａ、３２Ｂ…カバー、３２ａ…外周壁（支持部）、３３、３３Ａ、３３Ｂ…ケーブル支持部、３４…係合部、３５、３５Ａ…第１切欠部、３５ａ…第１突起部、３６…凹部、３７、３７Ａ…第２切欠部、３７ａ…第２突起部、３８…凸部、３９…第１支持部、４０…第２支持部、４１、４１Ａ…開口部、４２……突起部。
【図２】
2016020843.tif 000003
【図３】
2016020843.tif 000004
【図４】
2016020843.tif 000005
【図５】
2016020843.tif 000006
【図６】
2016020843.tif 000007
【図７】
2016020843.tif 000008
【図８】
2016020843.tif 000009
【図１】
2016020843.tif 000010